(57)【要約】【課題】  軽量で簡単に設置することができ、開口幅の変化に対応可能な止水装置を提供する。【解決手段】床の上に鉛直方向へ立設された一組の壁又は柱の間の開口部を止水する複数の止水板からなる折りたたみ式止水装置であって、前記止水板が背面板と底面板からなる横面視Ｌ字型に形成され、前記複数の止水板が折りたたみ可能な結合部を備え、前記止水板の左右の端部及び前記止水板の底部に固着されたシール材、を備える。【選択図】図１
2020193489.tif 000002
【特許請求の範囲】
【請求項１】
床の上に鉛直方向へ立設された壁又は柱の間の開口部を止水する複数の止水板からなる折りたたみ式止水装置であって、
前記止水板が背面板と底面板からなる横面視Ｌ字型に形成され、
前記止水板が折りたたみ可能な結合部を備え、
前記止水板の左右の端部及び前記止水板の底部に固着されたシール材、
を備えることを特徴とする折りたたみ式止水装置。
【請求項２】
前記結合部が複数の第１ヒンジ、複数の第２ヒンジ及び前記複数の第１ヒンジと前記複数の第２ヒンジを個別に接続する複数の結合材を備えることを特徴とする請求項１に記載の折りたたみ式止水装置。
【請求項３】
前記結合部が前記複数の第１ヒンジ、前記複数の第２ヒンジ及び前記複数の第１ヒンジと前記複数の第２ヒンジを通して接続する取り外し可能な通し結合材を備えることを特徴とする請求項１に記載の折りたたみ式止水装置。
【請求項４】
前記複数の第１ヒンジ、前記複数の第２ヒンジが取り付けられた板面の逆の面に２枚の前記止水板を結合するパッチン錠が設けられていることを特徴とする請求項１乃至３の何れかに記載の折りたたみ式止水装置。
【請求項５】
前記折りたたみ式止水装置を設置した際の複数の前記止水板の形態を維持する保持機構が設けられることを特徴とする請求項１乃至４の何れかに記載の折りたたみ式止水装置。
【請求項６】
前記複数の止水板の接続部分の少なくとも片面が止水シートで覆われていることを特徴とする請求項１乃至５何れかに記載の折りたたみ式止水装置。
【請求項７】
前記シール材が、独泡材で構成されることを特徴とする請求項１乃至６何れかに記載の折りたたみ式止水装置。
【発明の詳細な説明】
【技術分野】
【０００１】
本発明は、建物の外から流れ込む水を止水する折りたたみ式止水装置に関する。
【背景技術】
【０００２】
従来、直立に立設された止水枠板と、この止水枠板を被覆する防水布と、を備えた洪水防止用止水板が提案されている（例えば、特許文献１参照）。特許文献１に記載された従来の止水装置は、洪水時に土嚢の代わりに用いられ、土嚢よりも容易に設置される。このような止水装置では、防水布のうち床に沿った部分（底面止水部）を水圧で抑え、直立した止水枠板に沿って設けられた部分（壁面止水部）によって止水される。
【先行技術文献】
【特許文献】
【０００３】
【特許文献１】特開２００４−２１８４１５号公報
【発明の概要】
【発明が解決しようとする課題】
【０００４】
しかしながら、特許文献１に記載された従来の洪水防止用止水板では、構成部材が多く、設置に手間がかかうえに、非使用時に部材をしまっておくために大きな貯蔵施設が必要になる。
【０００５】
また多くの部材を用いる従来の止水装置は重量が大きくなり設置も難しいという問題点がある。また、開口部の幅の変化に対応が難しい。したがって、本発明の目的は、軽量で簡単に設置することができ、開口幅の変化に対応可能な止水装置を提供することにある。
【課題を解決するための手段】
【０００６】
請求項１に記載の止水装置は、床の上に鉛直方向へ立設された壁又は柱の間の開口部を止水する複数の止水板からなる折りたたみ式止水装置であって、前記止水板が背面板と底面板からなる横面視Ｌ字型に形成され、前記複数の止水板が折りたたみ可能な結合部を備え、前記止水板の左右の端部及び前記止水板の底部に固着されたシール材、を備えることを特徴とする。
【０００７】
止水板が背面板と底面板からなる横面視Ｌ字型に形成され、前記複数の止水板が折りたたみ可能な結合部を備え、前記止水板の左右の端部及び前記止水板の底部に固着されたシール材、を備えるので、開口幅の変化に対応が可能になる。また、止水板が横面視Ｌ字型に形成されるので両端と下部に応力が加わるように加圧されて簡便に止水することができる。また、折りたたみ可能なので非使用時の貯蔵も容易になる。
【０００８】
請求項２に記載の折りたたみ式止水装置は、前記結合部が複数の第１ヒンジ、複数の第２ヒンジ及び前記複数の第１ヒンジと前記複数の第２ヒンジを個別に接続する複数の結合材を備えることを特徴とする請求項１に記載の折りたたみ式止水装置である。
【０００９】
前記結合部が複数の第１ヒンジ、複数の第２ヒンジ及び前記複数の第１ヒンジと前記複数の第２ヒンジを個別に繋ぐ複数の結合材を備えるので、複数のヒンジにより止水板が強固に結合されて大きな水圧に耐えることができる。
【００１０】
請求項３に記載の折りたたみ式止水装置は、前記結合部が前記複数の第１ヒンジ、前記複数の第２ヒンジ及び前記複数の第１ヒンジと前記複数の第２ヒンジを通して繋ぐ取り外し可能な通し結合材を備えることを特徴とする請求項１に記載の折りたたみ式止水装置である。
【００１１】
前記結合部が前記複数の第１ヒンジ、前記複数の第２ヒンジ及び前記複数の第１ヒンジと前記複数の第２ヒンジを通して繋ぐ取り外し可能な通し結合材を備えるので２枚一組で結合されている止水装置の左右に通し結合材をヒンジに設けられた孔に差し込むことで新たな止水板を簡便に取り付けて開口幅の変化に柔軟に対応することができる。
【００１２】
請求項４に記載の折りたたみ式止水装置は、前記複数の第１ヒンジ、前記複数の第２ヒンジが取り付けられた板面の逆の面に２枚の前記止水板を結合するパッチン錠が設けられていることを特徴とする請求項１乃至３の何れかに記載の折りたたみ式止水装置である。
【００１３】
加前記複数の第１ヒンジ、前記複数の第２ヒンジが取り付けられた板面の逆の面に２枚の前記止水板を結合するパッチン錠が設けられているので、パッチン錠が設けられている２枚の止水板の間を狭めて止水板の左右の端部に備えられたシール材を圧縮して止水性能を担保することができる。
【００１４】
請求項５に記載の折りたたみ式止水装置は、前記折りたたみ式止水装置を設置した際の複数の止水板の形態を維持する保持機構が設けられることを特徴とする請求項１乃至４の何れかに記載の折りたたみ式止水装置である。
【００１５】
前記折りたたみ式止水装置を設置した際の複数の止水板の形態を維持する保持機構が設けられるので、止水装置全体の形態を保つことができる。
【００１６】
請求項６に記載の折りたたみ式止水装置は、複数の前記止水板の接続部分の少なくとも片面が止水シートで覆われていることを特徴とする請求項１乃至５何れか１項に記載の折りたたみ式止水装置である。
【００１７】
複数の前記止水板の接続部分の少なくとも片面が止水シートで覆われているので、止水板の間からの漏水を防止することができる。
【００１８】
請求項６に記載の折りたたみ式止水装置は、前記シール材が、独泡材で構成されることを特徴とする請求項１乃至６何れか１項に記載の折りたたみ式止水装置である。
【００１９】
シール材が、独泡材で構成されるので、柔軟性に富み、高い止水性能を得ることができる。
【図面の簡単な説明】
【００２０】
【図１】折りたたみ式止水装置の設置の様子を示す（Ａ）正面から、（Ｂ）背面か見た説明図である。
【図２】結合部のヒンジ基本構造の説明図である。
【図３】正面から見たパッチン錠の様子を示す説明図である。
【図４】背面から見た止水板の結合部分の説明図である。
【図５】止水板を増やす際の様子を示す説明図である。
【発明を実施するための形態】
【００２１】
以下、本発明の実施形態を図面に基づいて説明する。図１に示す本実施形態の折りたたみ式止水装置１０は、建物へ向かう水を止水して建物内部の浸水を防止するために、床や地面に立設される壁や柱の間の開口部を止水するように水平方向へ展開されて設置される。
【００２２】
本実施形態において、折りたたみ式止水装置の左右方向を幅方向とし、鉛直方向を上下方向とし、幅方向及び上下方向に略直交する方向を奥行方向とする。また、図１の折りたたみ式止水装置の手前を正面、後ろを背面とする。
【００２３】
図１に示す折りたたみ式止水装置は、主要構成部材の止水用の背面板と底面板からなる２枚の止水板２で構成される。水の進入方向に対して凸になるように配置される。底面板は床面とシール材を介して置かれ底面板の上には重りとなる水袋８などが置かれそのうえにカバー６が設けられるがこれは省略可能である。重りは侵入する水の深さが小さいときに止水板を下方へ圧して底面板に固着されたシール材９を圧縮しその止水性能を高めるために使われる。重りはペットボトルに水を入れたものでも良い。
【００２４】
２枚の止水板は互いにヒンジで結合されるので折りたたみが容易にできる。一方の止水板のヒンジを第１ヒンジとするとこれに接続される他方の止水板のヒンジを第２ヒンジとする。止水板は例えばベニヤ合板またはアルミ板などを用いることが公的である。結合部は少なくとも片面に止水用のシートを貼って水が漏れないようにすることで結合部分の止水性能を高めることができる。シート材は例えばポリエステル加工された塩化ビニールシートなどの合成樹脂材料を用いることが好適である。
【００２５】
また、止水板は防水用の塗装をすることで耐久性を増すことができる。止水シートは結合部だけでなく止水板全体を覆うように構成してもよい。止水板が結合部で接続されているので折りたたみが容易であり、止水板を折りたたむことで収納容積を節約することができる。
【００２６】
設置する際に水平方向へ展開される折りたたみ式止水装置は、その両端部を開口部を形成する柱や壁に当たるように設置される。折りたたみ式止水装置の水平方向の両端部及び底部にはシール材が固着される。シール材はシール材が接する壁または柱や床へ押し付けられて水密な状態を作る。またシール材としては独泡材が好適である。
【００２７】
折りたたみ式止水装置の水平方向の両端部は壁又は柱の凹みにシール材を介して当たることで、水平方向及び後方への移動を阻止される。壁又は柱に適宜な凹みが無い場合は係止部材としてＬ字型部材を壁又は柱或いは床へ接着剤などで固着するなどして自主工事での設置が可能である。
【００２８】
図１（Ｂ）は止水装置の背面から見た様子を示す。水圧が加わることで止水板は左右方向へ広がる力を受ける。複数の止水板で構成される止水装置の背面に保持部材４０を用いた保持機構を構成することで止水装置の形態が安定に保持される。保持部材４０を展開している止水装置の左右の端部の構造材へネジなどで固定して保持機構を構成する。また形態を保持するには、図１（Ａ）で２枚の止水板の間の三角部分を埋めるように三角板１１を入れることもできる。この場合は、三角板を含めて保持機構となる。
【００２９】
折りたたみ式止水装置は、床や地面の上に広げられるので、その下端は床や地面にシール材を介して接する。シール材として発泡材を用いた場合はその止水性能を確保するために圧縮することが必要であるが折りたたみ式止水装置の自重がシール材の圧縮に十分な大きさであれば下方への加圧は不要である。しかしながら、下方への圧力が不足する場合には、図１に示す下方加圧用水タンク８を用いる。
【００３０】
図２にヒンジとヒンジを結合する結合材となるヒンジピンの様子を示す。ヒンジは、横面視コの字型の２個のヒンジ部材２１，２２と２個のヒンジ部材を結合するヒンジピン２０で構成される。ヒンジ部材２１，２２は止水板を支える構造材であるアルミフレームや角材にネジなどで固定される。ヒンジ部材２１，２２の互いに重なる部分に孔が設けられており、この孔を重ねてヒンジピンを通すことでヒンジ部材２１，２２が結合されてヒンジが構成される。
【００３１】
２枚の止水板の突き合わせ部分には止水用のシール材７が固着されており、２枚の止水板を展開すると圧縮されて止水効果を発生する。
【００３２】
図３に示すように、２枚の止水板の突き合わせ部分のシール材の圧縮を高めるために止水装置の正面側にパッチン錠２５を設けた。パッチン錠本体２５の腕部分を係止部材２６に掛けてパッチン錠を締めることで２枚の止水板が互いに引き寄せられて突き合わせ部分に固着された止水材が圧縮され十分な止水性能を得ることができる。
【００３３】
図４に２枚の止水板が結合された様子を示す。止水板はヒンジ部材２１，２２の端部の孔にヒンジピン２０を通されて回動可能な状態で互いに結合されるので、２枚の止水板は折りたたんで重ねることができる。重ねられることで収納時の容積が少なくて済むので保守費用の低減につながる。
【００３４】
図５は新たに止水板を増設する場合の対応を示す。止水板の左右の端部にはヒンジ部材３１，３２が取り付けられているので、隣接する止水板のヒンジの孔を重ねて、そこへ通し結合材３５となる長いピンを通す。この構成により止水板を増設が容易にできるので開口部の幅の変化に対して柔軟に対応することができる。
【００３５】
なお、本発明は、前記実施形態に限定されるものではなく、本発明の目的が達成できる他の構成等を含み、以下に示すような変形等も本発明に含まれる。
【００３６】
また、前記実施形態では、シール材７として独立気泡の柔軟な材料を用いたが、ポリブテン樹脂及び合成樹脂接着剤を基材とするパテでも良い。シール材７は、加圧されることで変形して対象物に密着するとともに、変形後の形状を維持するような性質を有していればよく、例えば、軟性を有する（硬化剤を含まない）その他の樹脂粘土等であってもよいし、発泡ウレタン等の発泡性の部材であってもよい。即ち、止水材の床に接する面に沿うようにスプレーによって発泡ウレタンを設け、そこへ止水装置を載せてとで止水手段としてもよい。
【００３７】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３８】
２  止水板の背面板
３  止水板の底面板
５  フレーム材
６  押え板
７、９  シール材
８  重り
１０  止水装置
１１  三角板
２０  ヒンジピン（結合材）
２１，２２  ヒンジ部材
２５  パッチン錠本体
２６  パッチン錠係止部材
３１，３２  ヒンジ部材
３５  通し結合材
【図１】
2020193489.tif 000003
【図２】
2020193489.tif 000004
【図３】
2020193489.tif 000005
【図４】
2020193489.tif 000006
【図５】
2020193489.tif 000007